(57)【要約】本発明は、種々の構造の構成部分及び構成ユニットを、建物若しくはフレームの壁面、天井面若しくは床面に効果的に結合するための結合エレメントに関し、この場合に結合エレメントが１つの接合運動によって互いに係合可能な２つの連結半割部（１ａ，１ｂ）を有しており、連結半割部が結合すべき構成部分若しくは構成ユニットに取り付け手段を用いて取り付け可能であり、連結半割部（１ａ，１ｂ）及び取り付け手段が、作動時の力の作用に際しても、結合された構成部分若しくは構成ユニットの機械的に安定した所定の状態を維持できるように寸法設定されている。本発明に基づき、連結半割部内に、液体ライン若しくはガスライン若しくは電気的なライン若しくは信号ラインの結合のためのライン連結半割部（２ａ，２ｂ，１０，２２，３２，３３，３４，３５）が設けられており、この場合に作動状態ではライン連結半割部が、結合すべき前記ラインの端部区分に結合されており、前記連結半割部（１ａ，１ｂ）が切欠きを有しており、該切欠きを通して前記ラインが外側へ導かれており、前記連結半割部が、作動条件下での結合状態でライン連結半割部（２ａ，２ｂ，１０，２２，３２，３３，３４，３５）のためのケーシングとして形成されており、この場合にケーシングが、ライン連結半割部及び結合すべき前記ラインの端部区分を、作動時の有害な作用若しくは環境の影響から保護するように形成されている。
2004503697.tif 000002
【特許請求の範囲】
【請求項１】
構成部分若しくは構成ユニットの機械的な結合のための結合エレメントであって、結合エレメントが１つの接合運動によって互いに係合可能な２つの連結半割部（１ａ，１ｂ）を有しており、連結半割部が結合すべき構成部分若しくは構成ユニットに取り付け手段を用いて取り付け可能であり、この場合、連結半割部（１ａ，１ｂ）及び取り付け手段が、作動時の力の作用に際しても、結合された構成部分若しくは構成ユニットの機械的に安定した所定の状態を維持できるように寸法設定されている形式のものにおいて、
連結半割部（１ａ，１ｂ）内に、液体ライン若しくはガスライン若しくは電気的なライン若しくは信号ラインの結合のためのライン連結半割部（２ａ，２ｂ，１０，２２，３２，３３，３４，３５）が設けられており、この場合に作動状態ではライン連結半割部が、結合すべき前記ラインの端部区分に結合されており、前記連結半割部が切欠きを有しており、該切欠きを通して前記ラインが外側へ導かれており、
前記連結半割部が、作動条件下での結合状態でライン連結半割部（２ａ，２ｂ，１０，２２，３２，３３，３４，３５）のためのケーシングとして形成されており、この場合にケーシングが、ライン連結半割部及び結合すべき前記ラインの端部区分を、作動時の有害な作用若しくは環境の影響から保護するように形成されていることを特徴とする、構成部分の機械的な結合のための結合エレメント。
【請求項２】
連結半割部の接合運動の方向が、ライン連結半割部（２ａ，２ｂ，３２，３３，３４，３５）の結合のための接合運動の方向と合致している請求項１記載結合エレメント。
【請求項３】
連結半割部の接合運動の方向が、ライン連結半割部の結合のための接合運動の方向と異なっている請求項１記載結合エレメント。
【請求項４】
結合エレメントは、ライン連結半割部が連結半割部と一緒に互いに組み合わされるように形成されている請求項２記載の結合エレメント。
【請求項５】
結合エレメントは、結合に際してまず連結半割部が互いに完全に結合され、次いでライン連結半割部が互いに組み合わされるように形成されている請求項２又は３記載の結合エレメント。
【請求項６】
結合エレメントは、ライン連結半割部が結合機構を用いて個別に若しくは一緒に結合可能であるように形成されており、
この場合に結合機構が次に手段を有しており、即ち
ライン連結半割部を互いに合致させるためのスライダー機構（１４）、及び
スライダー機構の駆動のための駆動機構（１３，１４，１５，１６）を有している請求項５記載の結合エレメント。
【請求項７】
結合機構がばね機構を有しており、この場合に予め締め付けてロックされたばね（１８）が、該ばね（１８）のロック（１９）の解除の後に自動的に、若しくは手動でスライダー機構を作動するようになっている請求項６記載の結合エレメント。
【請求項８】
駆動機構（１７）が手動で操作されるようになっている
請求項６記載の結合エレメント。
【請求項９】
連結半割部が内部に配置された溝及び該溝に適合した突起部を有しており、該溝と該突起部とが結合エレメントの結合状態で互いに係合しており、該溝及び該突起部の所定の区分に電気的な結合のための接点エレメント（２４）が設けられている請求項４記載の結合エレメント。
【請求項１０】
連結半割部の内側に平面区分を設けてあり、該平面区分が連結半割部の結合状態で互いに密接しており、該平面区分に信号接続のための接点エレメント（２６）が設けられており、この場合に連結半割部の結合状態で、相対する接点エレメントが互いに接触している請求項４記載の結合エレメント。
【請求項１１】
連結半割部が、方形の支持区分を有しており、該支持区分に、連結半割部を、結合すべき構成部分の平面上、方形の切欠き内若しくは溝内に取り付けるための取り付け孔が設けられており、かつ支持区分にくさび形若しくはテーパー状の複数の係合エレメント（５ａ）及び該係合エレメントに適合するくさび形若しくはテーパー状の切欠き（５ｂ）が形成されている請求項１から１０のいずれか１項記載の結合エレメント。
【請求項１２】
少なくとも１つの係合エレメント対が互いに差しはめ可能な管路連結部（１０）として形成されており、該管路連結部が液体管路若しくはガス管路の結合部を成している請求項４又は１１記載の結合エレメント。
【請求項１３】
圧力を用いて操作可能な係止装置（６）を設けてあり、該係止装置が作業液体若しくは作業ガスを用いた圧力負荷によって結合部の係止を行うようになっている請求項１から１３のいずれか１項記載の結合エレメント。
【請求項１４】
連結半割部に接合圧着面が設けられており、該接合圧着面に圧力活性可能な接着剤（７）が塗布してあり、これによって連結半割部（１ａ，１ｂ）の接合に際して接着剤（７）が活性化されて、前記接合圧着面が互いに永続的に接着されるようになっている請求項１から１３のいずれか１項記載の結合エレメント。
【請求項１５】
連結半割部に接合圧着面が設けられており、該接合圧着面に非対称的な平面歯列（９）を設けてあり、該平面歯列が圧着に際して一方向で有効な噛み合い結合部を形成するようになっている請求項１から１３のいずれか１項記載の結合エレメント。
【請求項１６】
電気的なライン連結半割部の接点がダイヤフラム（８）によって気密に包まれており、ライン連結半割部の組み合わせに際してダイヤフラム（８）が破られるようになっている請求項１から１５のいずれか１項記載の結合エレメント。
【請求項１７】
気密に包まれたライン連結半割部内に、湿気と結合する物質が装填されている請求項１６記載の結合エレメント。
【発明の詳細な説明】
【０００１】
本発明は、構成部分、例えばプレハブ建築に用いられる特に壁エレメント、天井エレメント及び床エレメントの効果的な結合のための結合エレメントに関する。プレハブ建築は、長期間にわたって設置しておく建物も、短い期間だけ利用される建物、例えば地震災害時の非常宿泊、軍事利用、見本市などのための建物も意味する。
【０００２】
壁エレメント、天井エレメント及び床エレメントの結合のためにプレハブ建築において種々の結合構造が公知である。壁エレメントはしばしば互いに差しはめられて、次いで差し込み結合部がねじ固定される。プレハブ建築においてもいわゆる金具を用いる傾向にあり、金具が結合すべき箇所にねじ固定される。金具は例えば米国特許第５２８４３１１号明細書により公知である。
【０００３】
将来は現場での作業コストを最小にする必要があり、それというのは現場では通常は住人の作業力で処理されねばならず、住人の作業員は熟練されておらず、若しくは労賃が高いからである。さらに現場では自動組立装置がなく、従ってコストを削減することが困難である。さらに壁エレメントの手作業による組立に際しては組立時間を短縮することにも限度がある。
【０００４】
プレハブ建築において、構成部分の製造が高い自動化率でかつ高い製造品質で達成され得るものの、完成エレメントの現場での組立に際しては組立速度及び作業品質が十分に達成されていない。
【０００５】
さらに、建築費を低減し、かつ予め製造した構成エレメントを現場で適格な作業員によって組み合わせられる組立建築の品質を改善したいという要求がある。
【０００６】
さらに本発明は、建物若しくはフレームの壁面、天井面若しくは床面に種々の構成ユニットを効果的に結合するための装置にも関する。
【０００７】
構成ユニットとして暖房装置、換気装置、空調装置があり、床暖房、ガス若しくは電子レンジ又はオーブンを備えたキッチンブロック、壁組み込み用のエアーコンディションユニット、若しくは温水タンク、給湯ユニット或いは付属装置、例えばフィルターを備えた家庭用設備がある。
【０００８】
さらに衛生領域の構成ユニット、例えば洗面台、ＷＣ若しくはシャワーボックス。
【０００９】
これらの構成ユニットにおいても、プレハブ建築の場合と同様に現場での確実で効果的な組立が、特に構成ユニットに例えば水、ガス、電流及び／又は電話並びにデーター処理装置のための多くの結合箇所若しくは接続部を設けてある場合に問題である。それというのは構成ユニットの煩雑性が増大すると、現場での設置にとって、間違った接続若しくは結合を避けるために、技能の高い技術者を必要とするからである。これによって取り付けコストが増大することになる。
【００１０】
従って本発明の課題は、構成部分及び構成ユニットの組立を改善して、技能の低い作業員によっても組立が迅速かつ確実に行われるようにすることである。
【００１１】
前述の課題が請求項１に記載の手段によって解決される。
【００１２】
構成部分若しくは構成ユニットを機械的に結合するために提案される結合エレメントは、１つの接合運動によって互いに係合可能な２つの連結半割部を有している。連結半割部が結合すべき構成部分若しくは構成ユニットに取り付け手段、例えばねじ若しくは接着剤を用いて取り付け可能であり、この場合、連結半割部及び取り付け手段が、作動時の力の作用に際しても、結合された構成部分若しくは構成ユニットの機械的に安定した所定の状態を維持できるように寸法設定されている。連結半割部内に、液体ライン若しくはガスライン若しくは電気的なライン若しくは、例えば電話若しくはビデオ用の信号ラインの結合のためのライン連結半割部を設けてある。ライン連結半割部が、結合すべき前記ラインの端部に結合されている。ラインが切欠きを通して外側へ導かれ、若しくは構成部分若しくは構成ユニット内で案内されている。
【００１３】
本発明に基づき、連結半割部が、作動可能な結合状態でライン連結半割部のためのケーシングとして形成されている。互いに差しはめられた連結半割部から形成されたケーシングが、ライン連結半割部及び結合すべきラインの端部区分を、作動時の有害な作用若しくは環境の影響から保護するように形成されている。作動時若しくは環境の種々の影響があるので、本発明の技術思想に基づき、連結半割部が、実際の使用例に関連してライン連結半割部及び結合すべきラインの端部区分を十分に保護するように形成される。特殊な作業条件において、例えば気密なケーシングを設けて、ライン連結半割部の腐食を避けるようにすることができる。この場合には、ライン連結半割部がシールを有していて、結合状態であらゆる側で閉じられており、シールが結合状態で空中湿気若しくは水分の侵入を阻止するようになっている。このようなシールは、電気的な導線を湿度の高い領域で接続する技術分野において十分に知られているものである。
【００１４】
連結半割部の寸法及び構造の規定は次のようにして行われる：
ａ）見込まれる機械的な作動力に基づきライン連結半割部の組み込み状態及び所要スペースを考慮して寸法を規定する。
【００１５】
ｂ）運転時の見込まれる有害な作用若しくは環境の影響に基づき寸法を規定し、この場合に、実際の組み込み条件も考慮する。１つの連結半割部は後ろ側を開いたままにしていてよく、該連結半割部の後ろ側が、結合すべき構成部分の切欠き内に配置されて、該構成部分によって閉鎖されかつ密閉される。
【００１６】
本発明の基本思想が機械的な固定部材を提供することにあり、該固定部材がエネルギー供給及び信号供給のための連結部を有している。該機械的な固定部材は、従来の金具のように用いられ、即ち取り付け部材、例えばねじと一緒に用いられる。機械的な固定部材が、エネルギー供給及び信号供給のためのライン連結部を結合状態で包み込んで、有害な影響から十分に保護するように形成されている。
【００１７】
本発明の主な利点として、多様に使用可能なコネクターを形成することができ、該コネクターが必要に応じて従来の金具のように種々の目的に応用でき、結合すべき構成部分若しくは構成ユニットの任意の箇所に簡単に組み込み可能である。従来の金具において一般的であるように、本発明に基づく結合エレメントが溝若しくは袋穴内に沈め込まれて配置されてよい。
【００１８】
本発明の構成によって、個別の供給ライン及び信号ラインが構成エレメントの組み合わせによって同時に結合され、その結果、組立時間が節減される。供給ライン及び信号ラインの結合にとって特殊技能をもはや必要としないので、結合箇所の機能確実性が著しく高められる。本発明は、建物管理システムによってコントロールされている近代的な建物に特に有利である。この種の建物管理システムは特に多くのセンサーを備えており、センサーが電子的な制御装置に接続されており、このことは著しい配線を必要とする。このような配線がすでに壁、天井などに組み込まれている場合には、壁、天井などの組立に際して自動的にかつ間違いなく互いに接続され、その結果、コストが節減され、品質が高められる。
【００１９】
請求項２の実施態様に基づき結合エレメントは、連結半割部の接合運動の方向が、ライン連結半割部の接合運動の方向と合致しているように形成されており、即ち機械的な連結半割部の相互の差しはめに際して、同じ方向でライン連結半割部も互いに差しはめられる。該実施態様は構造が簡単である。
【００２０】
請求項３の実施態様に基づき結合エレメントは、連結半割部の接合運動の方向が、ライン連結半割部の結合のための接合運動の方向と異なっているように形成されており、即ち両方の接合運動の方向が互いに合致していない。該実施態様は、結合すべき構成部分に、請求項２の実施態様では実現不可能な制限された構成スペースしか与えられない場合に有利である。
【００２１】
請求項４の実施態様に基づき結合エレメントは、ライン連結半割部が連結半割部と一緒に互いに組み合わされるように形成されている、即ち、機械的な連結半割部を互いに完全に組み合わせると、ライン連結半割部も同時に互いに組み合わされる。
【００２２】
請求項５の実施態様に基づき結合エレメントは、結合に際してまず連結半割部が互いに完全に結合され、次いでライン連結半割部が互いに組み合わされるように形成されている。該実施態様は特に頑丈な組立条件下で特に有利である。この場合、例えばライン連結半割部が、連結半割部を互いに完全に結合するまで、保護された位置に保たれる。従って、構成スペースを完全に保護した状態でようやく、ライン連結半割部の結合が行われる。
【００２３】
請求項６の実施態様に基づき結合エレメントは、ライン連結半割部が結合機構を用いて個別に若しくは一緒に結合可能であるように形成されている。この場合に結合機構には、ライン連結半割部を互いに合致させるためのスライダー機構が設けられている。スライダー機構は、連結半割部を所定の軌道に沿って摺動させる案内を意味している。この種の案内若しくはスライダー機構は、機構学関係の書物に見出されるものであり、詳細な説明は省略することにする。スライダー機構の駆動のために駆動機構が設けられている。
【００２４】
請求項７の実施態様に基づき結合機構がばね機構を有しており、この場合に予め締め付けてロックされたばねが、該ばねのロックの自動的若しくは手動による解除の後に、スライダー機構を作動するようになっている。ロックの自動的な解除が例えば、ばねをロックするピンを機械的な連結半割部の組み合わせに際して移動させて、ばねのロックを解除することによって行われてよい。この種の構造も、当該関連の書物に見出されるものであり、詳細な説明は省略することにする。
【００２５】
請求項８の実施態様では、駆動機構が手動で操作されるようになっている。駆動機構が例えばレンチを用いて操作され、即ち連結半割部が互いに完全に結合された場合に、レンチ状の工具が切欠き、例えばレンチ穴内に差し込まれる。工具の回転によってスライダー機構が操作される。ライン連結半割部を移動させるための構成は、例えばラックとピニオンとの簡単な配置によって実施されており、ピニオンが工具、例えばレンチを用いて回転させられる。液圧式若しくは空圧式の手段も当業者にとって理解され得るものであり、液体若しくは空気をシリンダー内に供給してピストンを移動させるようになっており、ピストンがスライダー機構に連結されている。
【００２６】
請求項９の実施態様では、連結半割部が内部に配置された溝及び該溝に適合した突起部を有しており、該溝と該突起部とが結合エレメントの結合状態で互いに係合しており、これによって機械的な結合特性が改善される。該溝及び該突起部の所定の区分に電気的な結合のための接点エレメントが設けられている。このような手段によって、電気的なライン連結半割部のための所要スペースが縮小され、それというのは電気的な接点がそれぞれの連結半割部内に統合されているからである。
【００２７】
請求項１０に記載の実施態様に基づき、結合エレメントの連結半割部の内側に平面区分を設けてあり、該平面区分が連結半割部の結合状態で互いに密接しており、該平面区分に信号接続のための接点エレメントが設けられている。相対する接点エレメントが、連結半割部の結合状態で互いに接触して、接点を接続する。信号接続部にはわずかな電流しか流れないので、接点エレメントが小さく形成されてよい。これによって信号用のライン連結半割部のための所要スペースが縮小される。
【００２８】
請求項１１に記載の実施態様に基づき、結合エレメントの連結半割部が、方形の支持区分を有しており、該支持区分に固定孔若しくは取り付け孔が設けられている。さらに支持区分にくさび形若しくはテーパー状の係合エレメント及び該係合エレメントに適合するくさび形若しくはテーパー状の切欠きが形成されている。支持区分が平面で以て１つの切欠き若しくは１つの溝内に容易に取り付けられる。係合エレメントの構造は当業者にとって任意に選ばれ、かつそれぞれの要求に適合されるものであり、このために高度の技術を必要とするものではない。
【００２９】
請求項１２に記載の実施態様に基づき、結合エレメントの少なくとも１つの係合エレメント対が、互いに差しはめ可能な管路連結部として形成されており、該管路連結部が液体管路若しくはガス管路の結合部を成している。該実施態様は特に経済的であり、それというのは係合エレメント対の二重機能によって別個の管路結合部が省略されるからである。
【００３０】
請求項１３に記載の実施態様に基づき、媒体のための管状の供給結合エレメントにおいて、圧力操作可能な係止装置及び内部シール装置を設けてあり、該係止装置及び内部シール装置が液体若しくはガスを用いた圧力負荷によって結合部の係止及び密閉を行う。該実施態様において利点として、唯一の作業過程でのすべての媒体結合箇所の完全な組み立ての後に、すべての媒体結合箇所が圧力伝播によってシールされる。
【００３１】
請求項１４に記載の実施態様に基づき、結合が次のように行われる。即ち連結半割部の結合箇所に設けられた接合圧着面に、工場で圧力活性可能な接着剤が塗布される。この種の接着剤は当業者にとって周知のものであり、例えば小さな粒子体内に充填してある。圧力下での接合に際して、即ち面圧を掛けた場合に、粒子体が割れて、接着剤を放出し、その結果、接合圧着面が互いに接着される。このような処置によって、著しく安定な結合部が得られる。
【００３２】
請求項１５に記載の実施態様に基づき、連結半割部に、組合せに際して圧着される接合圧着面が設けられており、該接合圧着面に非対称的な平面歯列を設けてあり、該平面歯列が圧着に際して一方向で有効な噛み合い結合部を形成する。
【００３３】
接着剤結合部若しくは平面歯列の配置のための適切な箇所の選定は当業者に委ねられ、それというのは選定には実際の建物構造の強度若しくは力学の知識が必要であるからである。
【００３４】
請求項１６に記載の実施態様に基づき、電気的なライン連結半割部の接点が包み込まれている。このような包み込み部がプラグ及び連結部（カップリング）として形成されている。互いに差しはめられる領域にそれぞれ薄いシート若しくはフィルムを張り付けてあり、シート若しくはフィルムが電気的な接点を気密に閉鎖して、湿気の侵入ひいては腐食を防止している。プラグ及び連結部の組合せに際してフィルムが破られる。プラグ及び連結部は結合の後に改めて気密にシールされてよい。
【００３５】
請求項１７の実施態様に基づき、プラグ及び連結部内に湿気と結合する物質を装填してあり、該物質がプラグ及び連結部の組合せに際して侵入することのある湿気を永続的に受容するようになっている。
【００３６】
次に本発明を、図面に概略的に示した実施例に即して説明する。
【００３７】
図１は本発明の原理の第１の実施例を示しており、符号１ａ，１ｂが壁区分を表しており、壁部分１ａ，１ｂにライン結合部を配置してあり、ライン結合部が複数のプラグ２ａ及び該プラグに適合された複数の連結部２ｂから成っている。プラグ２ａが１つの組立半割部３ａに保持されており、連結部２ｂが別の組立半割部３ｂに保持されている。組立半割部が壁部分内の対応する切欠き内に取り付けられている。切欠きが、複数の壁部分を互いに差しはめて、組み合わせた状態で閉じた１つの壁部分を形成するように構成されている。図１ａが２つの壁部分１ａ，１ｂの側面を示しており、該壁部分の切欠き内に組立半割部３ａ，３ｂがねじ結合部を用いて取り付けられている。当業者にとって自明であるように、組立半割部３ａ，３ｂの取り付けは種々の形式で行われ得るものであり、従ってこれについてのさらなる説明は省略する。図１ｂが本発明の実施例の平面を示しており、３つのラインプラグ２ａ及び３つのライン連結部２ｂが認められる。図示の実施例では、ラインプラグ２ａとライン連結部２ｂとの間のシールがＯリング４を用いて行われる。２つの壁部分１ａ，１ｂが、図１ｃに示してあるように、矢印方向で互いに組み合わせられると、ラインプラグ２ａとライン連結部２ｂとが互いに係合する。製造誤差の補償のために、ラインプラグ２ａ及び／又はライン連結部２ｂが浮遊式に、即ち側方に移動可能に組み立てられている。このような手段によって、無理のない確実な結合が保証される。図１ｄに最終状態が示してあり、該状態で３つのラインが互いに確実にかつ密接に接続されている。該建築技術の組み付け手段によって、２つの壁部分１ａ，１ｂが図１ｄの位置に確実に保持される。
【００３８】
図２に、本発明の原理に基づく第２の実施例が示してあり、この場合、組立半割部３ａ，３ｂがセンタリング装置５ａ，５ｂを備えており、該センタリング装置が確実な組み合わせを保証する。センタリング装置は、壁の組み合わせに際して発生する横方向力が確実に受け止められるように寸法設定されており、その結果、連結半割部の、傾き状態での接合による損傷が避けられる。図２は図１と類似するものであり、従って説明の繰り返しは省略することにする。
【００３９】
図３に、本発明の原理に基づく第３の実施例が示してあり、この場合、係止装置６を設けてあり、該係止装置は構成部分、例えば壁が再び離れて、その結果、連結半割部が緩み若しくは損傷せしめられ、シールがもはや保証されなくなることを確実に防止する。該実施例では係止装置６が圧力ピストン及びシリンダー装置６ａ並びに係止ピストン及びシリンダ装置６ｂを有しており、圧力ピストン及びシリンダー装置と係止ピストン及びシリンダ装置とが液力管路６ｃを介して互いに接続されている。構成部分及び連結半割部が互いに確実に結合された場合に、圧力ピストン及びシリンダー装置６ａの圧力ピストンに力を作用させ、該力が前記圧力ピストンを移動させて、これによって液力管路６ｃを介して係止ピストン及びシリンダ装置６ｂの係止ピストンが切欠き６ｄ内に押し込まれ、その結果、構成部分が互いに堅くかつ確実に結合される。圧力ピストンへの力の導入は、構成部分の組み合わせに際して生ぜしめる力を利用することによって行われてよい。図３ｄに示してあるように、係止ピストンが切欠き６ｄ内に係合している。
【００４０】
耐久性のある安定した結合部の形成のための手段が図４に示してある。センタリング装置のすべての接触面が特殊な接着剤７で被覆されている。接触面を強い圧力下で圧着すると、接着剤７が活性化されて、接触面を互いに堅く結合する。圧力によって活性可能なこの種の接着剤は当業者にとって周知であり、詳細な説明は不用と思われる。
【００４１】
連結半割部が腐食すること（このことは例えば電気的な接続において特に不都合である）を避けるために、連結半割部が図５に示してあるように保護フィルム８によって被覆される。組み合わせに際して、保護フィルム８が意図的にはがされて、連結半割部のこれまで密封されていた、即ち腐食していないエレメントが接合される。別の実施例として、接合の後に新たに密封を行うためのシール部材が設けられていてよい。
【００４２】
図６に、確実なかつ耐久性のある結合のための簡単かつ著しく効果的な手段が示してある。センタリング装置の接触面が、くさび形の多数の歯部から成る平面歯列９として形成されている。組み合わせに際して接触面が互いに圧着されると、平面歯列９の歯部が互いに噛み合って、形状及び摩擦接続的な結合を生ぜしめる。平面歯列を非対称的に形成することによって、フック効果が１つの方向でのみ、即ち図示の実施例では接触面の圧着に際して生ぜしめられることは明らかである。組み合わせの段階が図６ｃ及び図６ｄに示してある。図１乃至図６に示す種々の実施例において、連結部の基本形状はほぼ同じである。次に、原理的に異なる連結部形状を実施例に基づき説明する。
【００４３】
図７に、２つの連結半割部１ａ，１ｂを備えた連結部の実施例を示してあり、該実施例ではもっぱら１つの水道管１０が結合されるようになっている。連結半割部が互いに差しはめられると、両方の管半割部１０ａ，１０ｂが互いに合致する。シールのために、シール装置１１ａ，１１ｂが設けられている。
【００４４】
図８には１つの連結半割部１ａを示してあり、該連結半割部内には曲げられた水道管１０が移動可能に配置されている。該水道管は外面に歯列１２を有しており、該歯列がピニオン１３に係合している。水道管１０は対向支承部１４によってピニオン１３に向けて押圧されている。ピニオン１３がロッド１５に結合されており、該ロッドが軸受１６内に支承されている。これによって工具１７を用いて、水道管が長手方向に移動させられる。連結半割部１ａを該連結半割部と適合する別の連結半割部に差しはめた場合に、結合すべき両方の水道管は互いにまだ係合していない。工具１７を回転させることによって、ひいては一方の連結半割部の水道管を他方の連結半割部の水道管に向けて移動させることによって、結合が行われる。該実施例は請求項５及び該請求項を引用する請求項に関するものである。
【００４５】
図９は図８と類似の連結半割部１ａを示している。水道管１０が同じく移動可能に支承されていて、ばね１８を用いて矢印方向に押圧されている。連結半割部１ａを該連結半割部と適合する別の連結半割部に差しはめた場合に、結合すべき両方の水道管は互いにまだ係合していない。それというのは遮断ロッド１９が管の移動を阻止しているからである。遮断ロッド１９を引っ張りロープ２０によって引き抜くことによってはじめて、ストッパ２１が解放され、その結果、管が矢印方向に移動して、対応する管に連結される。このために必要なシール機構が有利にはＯリングを有している。
【００４６】
図１０が、一体構造の水道管連結部２２を備えた連結半割部１ａを示している。このような一体構造によって、水道管路のための別個の連結部材が省略される。図面から明らかであるように、水道管連結部が中実のセンタリング部材を形成しており、該センタリング部材は機械的な大きな力も受け止める。符号２３でばね弾性的な遮断フラップを概略的に示してあり、該遮断フラップが連結の際に、対向する連結部によって矢印方向に押圧されて、最終的に、該対向する連結部の切欠き内にスナップ係合する。これによって連結部の解離が確実に防止される。
【００４７】
図１１ａに、一体構造の水道管連結部２２を備えた連結半割部１ａが示してある。付加的に係合溝内に、電気的なエネルギーの伝達のための弾性的な電気的な接点２４が設けられている。さらに方形の支持区分２５に、一列の小さい接点エレメント２６を配置してあり、該接点エレメントが例えばセンサー信号、例として温度信号のための伝達に用いられる。図１１ｂが、前記第１の連結半割部に適合された第２の連結半割部を示している。
【００４８】
図１２に本発明の別の実施例を示してある。該実施例はくさび状の成形ロッド２７，２８として構成されており、この場合、第１の連結半割部が雄型くさび（外面くさび）２９を有しており、第２の連結半割部が雌型（内面くさび）３０を有している。さらに形状接続的な結合手段３１ａ，３１ｂが設けられており、該結合手段の機能は図１２から理解されるものである。両方の成形ロッドを互いに係合させた場合に、結合手段３１ａが結合手段３１ｂを取り囲んでいる。この種のいわゆるクリップ・結合部の構造は周知のものであり、従って詳細な説明は省略することにする。該結合手段の内側にライン連結エレメント３２，３３，３４，３５を設けてあり、該ライン連結エレメントが両方の成形ロッド２７，２８の相互の組み合わせによって互いに接続される。
【００４９】
図１３に、暖房兼給湯設備への本発明の応用例が示してある。ベースプレート３６に種々の装置が配置されている。壁に本発明に基づく４つの連結部３７，３８（３９，４０は見えず）を配置してあり、該連結部が壁内を延びる種々のラインに接続される。連結部３７乃至４０に対応して、該連結部に適合された対向連結部がベースプレート３６に配置されている。これによって、ベースプレート３６が製造所で、場合によっては自動的に完全に装備される。このように装備されたベースプレートが現場で簡単に装着される。これによって現場での組み付けコストが著しく低減される。さらに装備が著しく短い時間で行われ、間違った結合若しくは接続のおそれが排除される。
【００５０】
図１４に、キッチン領域への本発明の応用例が示してある。詳細な説明を行う必要もなく図面から明らかなように、冷蔵庫、電子レンジ、流し台並びに食器洗い機などから成る完全なキッチンブロックが、図１３のベースプレートと同様の形式で壁に装着され、この場合、符号４１乃至４５が連結部を示している。
【００５１】
図１５に、浴室領域への本発明の応用例が示してある。詳細な説明を行う必要もなく図面から明らかなように、シャワーボックス、トイレット、洗面台及び鏡から成る完全な衛生隔室ブロックが、図１３のベースプレートと同様に簡単に壁に取り付けられ、この場合、符号４６乃至５２が連結部を示している。
【００５２】
図１６に、公衆電話機の設備への本発明の応用例が示してある。本発明に基づく２つの連結部５３，５４及び鍵のかかる１つのロック装置５５が公衆電話機の背面に設けられている。これによって、公衆電話機が故障に際して迅速に交換され、ロック装置によって盗難防止されている。
【００５３】
図１７に、暖房領域への本発明の応用例が示してある。壁に固定されたベースプレート５６上に、連結部５７乃至６０を設けてあり、この場合、連結部５８，５９が本発明に基づき形成されている。このような配置によって、パネルラジエータが著しく迅速に組み付けられ、若しくは故障に際して迅速に交換され得る。
【００５４】
本明細書及び実施例に示す構成は、本発明の技術思想を広範囲に開示するものである。本発明の技術思想は任意に変更でき、特別な要求若しくは目的に適合され得るものである。
【図面の簡単な説明】
【図１ａ】本発明の原理の第１の実施例の断面図。
【図１ｂ】本発明の原理の第１の実施例の平面図。
【図１ｃ】本発明の原理の第１の実施例の壁部分の組合せ過程中の断面図。
【図１ｄ】本発明の原理の第１の実施例の壁部分の組合せた状態の断面図。
【図２ａ】本発明の原理の第２の実施例の断面図。
【図２ｂ】本発明の原理の第２の実施例の平面図。
【図２ｃ】本発明の原理の第２の実施例の組合せ過程中の断面図。
【図２ｄ】本発明の原理の第２の実施例の組合せた状態の断面図。
【図３ａ】本発明の原理の第３の実施例の断面図。
【図３ｂ】本発明の原理の第３の実施例の平面図。
【図３ｃ】本発明の原理の第３の実施例の組合せた状態の平面図。
【図３ｄ】本発明の原理の第３の実施例のロックした状態の平面図。
【図４ａ】本発明の原理の第４の実施例の平面図。
【図４ｂ】本発明の原理の第４の実施例の組合せ過程中の断面図。
【図４ｃ】本発明の原理の第４の実施例の組合せた状態の断面図。
【図５ａ】本発明の原理の第５の実施例の組合せ過程中の平面図。
【図５ｂ】本発明の原理の第５の実施例の組合せた状態の平面図。
【図６ａ】本発明の原理の第６の実施例の断面図。
【図６ｂ】本発明の原理の第６の実施例の平面図。
【図６ｃ】本発明の原理の第６の実施例の組合せ過程中の断面図。
【図６ｄ】本発明の原理の第６の実施例の組合せた状態の断面図。
【図７ａ】本発明の原理の第７の実施例の一方の連結半割部の斜視図。
【図７ｂ】本発明の原理の第７の実施例の他方の連結半割部の斜視図。
【図８】本発明の原理の第８の実施例の斜視図。
【図９】本発明の原理の第９の実施例の斜視図。
【図１０】本発明の原理の第１０の実施例の斜視図。
【図１１ａ】本発明の原理の第１１の実施例の一方の連結半割部の斜視図。
【図１１ｂ】本発明の原理の第１１の実施例の他方の連結半割部の斜視図。
【図１２】本発明の原理の第１２の実施例の斜視図。
【図１３】本発明の原理の応用例の斜視図。
【図１４】本発明の原理の別の応用例の斜視図。
【図１５】本発明の原理のさらに別の応用例の斜視図。
【図１６】本発明の原理のさらに別の応用例の斜視図。
【図１７】本発明の原理のさらに別の応用例の斜視図。
【符号の説明】
１ａ，１ｂ　壁部分（構成部分）、　２ａ　プラグ（差し込み部）、　２ｂ　連結部、　３ａ，３ｂ　組立半割部（連結半割部）、　４　Ｏリング、　５ａ，５ｂ　センタリング装置、　６　係止装置、　６ａ　圧力ピストン及びシリンダー装置、　６ｂ　係止ピストン及びシリンダ装置、　６ｃ　液力管路、　６ｄ　切欠き、　７　接着剤、　８　保護フィルム、　９　平面歯列、　１０　水道管、　１０ａ，１０ｂ　管半割部、　１１ａ，１１ｂ　シール装置、　１２　歯列、　１３　ピニオン、　１４　対向支承部、　１５　ロッド、　１６　軸受、　１７　工具、　１８　ばね、　１９　遮断ロッド、　２０　引っ張りロープ、　２１　ストッパ、　２２　水道管連結部、　２３　遮断フラップ、　２４　接点、　２５　支持区分、　２６　接点エレメント、　２７，２８　成形ロッド、　３２〜３５　ライン連結エレメント、　３６　ベースプレート、　３７〜４０　連結部
【国際公開パンフレット】
2004503697.tif 000003
2004503697.tif 000004
2004503697.tif 000005
2004503697.tif 000006
2004503697.tif 000007
2004503697.tif 000008
2004503697.tif 000009
2004503697.tif 000010
2004503697.tif 000011
2004503697.tif 000012
2004503697.tif 000013
2004503697.tif 000014
2004503697.tif 000015
2004503697.tif 000016
2004503697.tif 000017
2004503697.tif 000018
2004503697.tif 000019
2004503697.tif 000020
2004503697.tif 000021
2004503697.tif 000022
2004503697.tif 000023
2004503697.tif 000024
2004503697.tif 000025
2004503697.tif 000026
2004503697.tif 000027
2004503697.tif 000028
2004503697.tif 000029
2004503697.tif 000030
2004503697.tif 000031
2004503697.tif 000032
2004503697.tif 000033
2004503697.tif 000034
2004503697.tif 000035
2004503697.tif 000036
2004503697.tif 000037
2004503697.tif 000038
2004503697.tif 000039
2004503697.tif 000040
2004503697.tif 000041
2004503697.tif 000042
2004503697.tif 000043
2004503697.tif 000044
2004503697.tif 000045
2004503697.tif 000046
2004503697.tif 000047
2004503697.tif 000048
【国際調査報告】
2004503697.tif 000049
2004503697.tif 000050
2004503697.tif 000051
2004503697.tif 000052